(57)【要約】【課題】この発明は、転売等により所有者に変更が生じ、後所有者の情報が前所有者に漏洩する可能性がある場合に、後所有者に対する個人情報の保護を行ない得るようにした記録再生装置及びその制御方法を提供することを目的としている。【解決手段】外部から取得した情報を記録媒体１２，１４ａに対して記録再生する記録再生装置１１であって、記録再生装置１１の所有者が変更したことを判別する判別手段１７と、判別手段１７で所有者が変更したと判別されたとき、記録再生装置１１を使用したことによって得られる情報が、記録再生装置１１の前の所有者に漏洩することを防止する制御手段１７とを備える。【選択図】図１
2006323464.tif 000002
【特許請求の範囲】
【請求項１】
外部から取得した情報を記録媒体に対して記録再生する記録再生装置であって、
前記記録再生装置の所有者が変更したことを判別する判別手段と、
前記判別手段で所有者が変更したと判別されたとき、前記記録再生装置を使用したことによって得られる情報が、前記記録再生装置の前の所有者に漏洩することを防止する制御手段とを具備することを特徴とする記録再生装置。
【請求項２】
前記制御手段は、前記記録再生装置を使用したことによって得られる情報が、前記記録再生装置の前の所有者に漏洩することを示す警告を発生することを特徴とする請求項１記載の記録再生装置。
【請求項３】
前記制御手段は、前記記録再生装置を使用したことによって得られる情報が、前記記録再生装置の前の所有者に漏洩する可能性を含む設定を解除することを特徴とする請求項１記載の記録再生装置。
【請求項４】
前記制御手段は、
暗証番号の入力を要求する手段と、
入力された暗証番号が予め記憶された暗証番号と一致するか否かを判別する手段と、
前記暗証番号が一致したとき、前記記録再生装置を使用したことによって得られる情報が、前記記録再生装置の前の所有者に漏洩する可能性を含む設定を解除する手段とを具備することを特徴とする請求項１記載の記録再生装置。
【請求項５】
前記判別手段は、前記記録再生装置の電源プラグがコンセントから抜き取られている時間が、予め設定された所定時間を経過したとき、前記記録再生装置の所有者が変更したと判別することを特徴とする請求項１乃至４いずれかに記載の記録再生装置。
【請求項６】
前記判別手段は、外部から定期的に配信されて前記記録再生装置に記憶されるもので、配信される毎に記憶内容が更新される情報が、所定時間以上更新されていない場合に、前記記録再生装置の所有者が変更したと判別することを特徴とする請求項１乃至４いずれかに記載の記録再生装置。
【請求項７】
前記判別手段は、情報を取得する放送波を受信するための地域設定が変更されたとき、前記記録再生装置の所有者が変更したと判別することを特徴とする請求項１乃至４いずれかに記載の記録再生装置。
【請求項８】
外部から取得した情報を記録媒体に対して記録再生する記録再生装置を制御する方法であって、
前記記録再生装置の所有者が変更したことを判別する判別工程と、
前記判別工程で所有者が変更したと判別されたとき、前記記録再生装置を使用したことによって得られる情報が、前記記録再生装置の前の所有者に漏洩することを防止する制御工程とを具備することを特徴とする記録再生装置の制御方法。
【発明の詳細な説明】
【技術分野】
【０００１】
この発明は、受信した番組等の情報を記録再生する記録再生装置及びその制御方法に係り、特にその転売等により所有者に変更が生じた場合の個人情報の保護を行なうものに関する。
【背景技術】
【０００２】
周知のように、近年では、放送やネットワーク等を介して配信される番組等の情報を受信し、光ディスクやハードディスク等の記録媒体に対して記録再生する記録再生装置が普及している。
【０００３】
この種の記録再生装置は、転売等により所有者に変更が生じた場合、例えば前所有者によるネットワークへの接続設定がそのまま残っていると、後所有者の情報が前所有者に漏洩してしまう可能性がある。
【０００４】
例えば、前所有者がネットワークを介してサーバから取得した情報を、自己の携帯電話に自動転送するように設定していたとすると、後所有者がネットワークを介してサーバから取得した情報が、前所有者の携帯電話に転送されてしまうことになる。
【０００５】
特許文献１には、多チャンネルで放送される複数の番組からユーザの嗜好に応じた番組を自動検索して記録予約を行なう際、ユーザの番組嗜好情報を含むデータベースを暗号化して記録することにより、ユーザの個人情報を保護する構成が開示されている。
【特許文献１】特開２００２−２６２２６５号公報
【発明の開示】
【発明が解決しようとする課題】
【０００６】
そこで、この発明は上記事情を考慮してなされたもので、転売等により所有者に変更が生じ、後所有者の情報が前所有者に漏洩する可能性がある場合に、後所有者に対する個人情報の保護を行ない得るようにした記録再生装置及びその制御方法を提供することを目的とする。
【課題を解決するための手段】
【０００７】
この発明に係る記録再生装置は、外部から取得した情報を記録媒体に対して記録再生する記録再生装置を対象としている。そして、記録再生装置の所有者が変更したことを判別する判別手段と、判別手段で所有者が変更したと判別されたとき、記録再生装置を使用したことによって得られる情報が、記録再生装置の前の所有者に漏洩することを防止する制御手段とを備えるようにしたものである。
【０００８】
また、この発明に係る記録再生装置の制御方法は、外部から取得した情報を記録媒体に対して記録再生する記録再生装置を制御する方法を対象としている。そして、記録再生装置の所有者が変更したことを判別する判別工程と、判別工程で所有者が変更したと判別されたとき、記録再生装置を使用したことによって得られる情報が、記録再生装置の前の所有者に漏洩することを防止する制御工程とを備えるようにしたものである。
【発明の効果】
【０００９】
上記した構成及び方法によれば、所有者が変更したと判別されたとき、記録再生装置を使用したことによって得られる情報が、記録再生装置の前の所有者に漏洩することを防止するようにしたので、転売等により所有者に変更が生じ、後所有者の情報が前所有者に漏洩する可能性がある場合に、後所有者に対する個人情報の保護を行なうことができる。
【発明を実施するための最良の形態】
【００１０】
以下、この発明の実施の形態について図面を参照して詳細に説明する。図１は、この実施の形態で説明する記録再生装置１１を示している。この記録再生装置１１は、２種類のディスクドライブ部を有する。
【００１１】
すなわち、ビデオファイルを構築できる情報記録媒体である第１のメディアとしての光ディスク１２を回転駆動し、情報の書き込み及び読み出しを実行する光ディスクドライブ部１３を有する。また、第２のメディアとしてのハードディスク１４ａを駆動し、情報の書き込み及び読み出しを実行するＨＤＤ（hard disk drive）部１４を有する。
【００１２】
そして、この記録再生装置１１は、記録側を構成するエンコーダ部１５と、再生側を構成するＭＰＥＧデコーダ部１６と、装置本体の動作を制御する制御部１７とを主たる構成要素としている。
【００１３】
また、この記録再生装置１１は、入力側のセレクタ１８と出力側のセレクタ１９とを有している。このうち、入力側のセレクタ１８には、ＬＡＮ（local area network）等の通信部２０と、衛星放送［ＢＳ（broadcasting satellite）／ＣＳ（communication satellite）］チューナ部２１と、地上波チューナ部２２とが接続され、エンコーダ部１５に信号を出力している。なお、上記ＢＳ／ＣＳチューナ部２１には衛星アンテナ２３が接続され、地上波チューナ部２２には地上波アンテナ２４が接続されている。
【００１４】
このエンコーダ部１５は、多重化部２５を有し、入力された信号に対してエンコード処理及び多重化処理等を施して、データ編集部２６に出力している。このデータ編集部２６は、エンコーダ部１５から供給された信号に対して、データ編集等の所望のデータ処理を施した後、上記光ディスクドライブ部１３及びＨＤＤ部１４に出力する。
【００１５】
また、このデータ編集部２６は、エンコーダ部１５から供給された信号、光ディスクドライブ部１３及びＨＤＤ部１４から供給された信号に対して所定のデータ処理を施し、上記ＭＰＥＧデコーダ部１６に出力している。
【００１６】
このＭＰＥＧデコーダ部１６は、バッファ部２７及び分離部２８を有し、データ編集部２６から供給された信号に対してデコード処理を施している。そして、このＭＰＥＧデコーダ部１６でデコード処理された信号は、音声映像処理部２９及び上記セレクタ部１９を介して、外部のモニタ３０での映像表示に供されるとともに、インターフェース部３１を介して外部に導出される。
【００１７】
ここで、この記録再生装置１１は、上記した各種の記録再生動作を含むその全ての動作を上記制御部１７によって統括的に制御している。この制御部１７は、ＣＰＵ（central processing unit）等を内蔵しており、操作部３２またはリモートコントローラ３３からの操作情報を受け、その操作内容が反映されるように各部をそれぞれ制御している。
【００１８】
この場合、制御部１７は、メモリ部３４を利用している。このメモリ部３４は、主として、そのＣＰＵが実行する制御プログラムを格納したＲＯＭ（read only memory）と、該ＣＰＵに作業エリアを提供するＲＡＭ（random access memory）と、各種の設定情報及び制御情報等が格納される不揮発性メモリとを備えている。
【００１９】
また、この記録再生装置１１は、電源部３５を備えている。この電源部３５は、上記操作部３２またはリモートコントローラ３３に設置された図示しない電源キーが操作されることにより、電源プラグ３６を家庭用コンセント３７に差し込んで得られる商用電源に基づいて、各部に供給する電力を生成している。
【００２０】
さらに、上記したＬＡＮ等の通信部２０は、例えばモデム３８を介しインターネット３９を経由して所定のサーバ４０と通信を行なったり、コンテンツ情報等をダウンロードしたりすることを可能としている。
【００２１】
また、放送局４１から送出される放送信号は、衛星アンテナ２３及び地上波アンテナ２４を介して受信され、上記ＢＳ／ＣＳチューナ部２１及び地上波チューナ部２２により所望の番組が選局されて復調処理される。
【００２２】
これらのチューナ部２１，２２は、広範囲な種類の放送信号に対応している。例えば、地上波アナログ放送、地上波デジタル放送、ＢＳアナログ放送、ＢＳデジタル放送、１１０度ＣＳデジタル放送等に及ぶものであり、これに限るものではない。
【００２３】
次に、上記した記録再生装置１１が備える個人情報の保護機能について説明する。この個人情報の保護機能は、記録再生装置１１が転売等により所有者に変更を生じた場合、前所有者の設定状態が残っていることにより、後所有者の情報が前所有者に漏洩されることを防止するものである。
【００２４】
図２は、この後所有者に対する個人情報保護機能を実現するための処理動作の一例を説明するフローチャートを示している。この処理動作は、上記操作部３２またはリモートコントローラ３３に設置された図示しない電源キーが操作されることによって、処理が開示（ステップＳ１）される。
【００２５】
すると、上記制御部１７は、ステップＳ２で、記録再生装置１１が転売等により所有者に変更を生じたか否かを判別する。この判別処理は、制御部１７に内蔵されたタイマーにより、電源プラグ３６が家庭用コンセント３７から抜き取られてから、再度、家庭用コンセント３７に差し込まれるまでの時間を計測し、その計測された時間が予め設定された所定時間を経過しているとき、転売により所有者に変更を生じたと判断している。
【００２６】
そして、所有者に変更が生じていないと判断された場合（ＮＯ）、制御部１７は、処理を終了（ステップＳ４）する。また、所有者に変更が生じたと判断された場合（ＹＥＳ）、制御部１７は、ステップＳ３で、現在の設定を変更しないと後所有者の個人情報が前所有者に漏洩する可能性があることを示す警告をモニタ３０に表示させて、処理を終了（ステップＳ４）する。
【００２７】
この場合、後所有者の個人情報が前所有者に漏洩するということは、後所有者がその記録再生装置１１を使用したことによって得られる情報、つまり、記録再生装置１１を使用して取得した情報自体や、その取得した情報の履歴から傾向的に割り出せる情報等が、前所有者に知られるということである。
【００２８】
例えば、前所有者が記録再生装置１１に対して、サーバ４０から取得した情報を自己の携帯電話に自動転送するように設定しており、後所有者に転売した後も、その設定が残っていたとする。すると、後所有者が記録再生装置１１を使用してサーバ４０から取得した情報が、前所有者の携帯電話に自動的に転送されてしまうことになる。
【００２９】
また、例えば、サーバ４０が、記録再生装置１１に配信した番組の履歴から、その記録再生装置１１の所有者の番組嗜好を解析し、その番組嗜好に対応した新番組の宣伝情報を所有者の携帯電話に転送する機能を有し、前所有者がその機能を設定していたとする。この場合も、後所有者への転売後にその設定が残っていると、後所有者の番組嗜好が前所有者に知られることとなる。
【００３０】
図２に示した個人情報保護機能によれば、所有者に変更が生じたと判断された場合に、現在の設定を変更しないと後所有者の個人情報が前所有者に漏洩する可能性があることを示す警告を表示させるようにしたので、後所有者に対する個人情報の保護を図ることが可能となる。
【００３１】
図３は、後所有者に対する個人情報保護機能を実現するための処理動作の他の例を説明するフローチャートを示している。図３において、図２と同一ステップには同一符号を付して説明すると、ステップＳ２で所有者に変更が生じたと判断された場合（ＹＥＳ）、制御部１７は、ステップＳ５で、現在の設定を無条件に解除して、処理を終了（ステップＳ４）するようにしている。
【００３２】
この場合、設定の解除は、例えば、メモリ部３４に記憶されている設定情報を消去することにより行なわれる。そして、消去する設定情報とは、例えば、後所有者が記録再生装置１１を使用したことによって得られる情報が、前所有者に漏洩する可能性を含む設定に関する情報である。
【００３３】
この図３に示した個人情報保護機能によれば、所有者に変更が生じたと判断された場合に、現在の設定を無条件に解除するようにしたので、後所有者に対する個人情報の保護を図ることが可能となる。
【００３４】
図４は、後所有者に対する個人情報保護機能を実現するための処理動作のさらに他の例を説明するフローチャートを示している。図４において、図３と同一ステップには同一符号を付して説明すると、ステップＳ２で所有者に変更が生じたと判断された場合（ＹＥＳ）、制御部１７は、ステップＳ６で、所有者に暗証番号の入力を要求する画面をモニタ３０に表示させる。
【００３５】
その後、制御部１７は、ステップＳ７で、所有者の入力した暗証番号が、予め入力されメモリ部３４に記憶されている暗証番号と一致するか否かを判別する。そして、一致したと判断された場合（ＹＥＳ）、制御部１７は処理を終了（ステップＳ４）し、暗証番号が一致しないと判断された場合（ＮＯ）、上記ステップＳ５で現在の設定を解除して、処理を終了（ステップＳ４）する。
【００３６】
この図４に示した個人情報保護機能によれば、所有者に変更が生じたと判断された場合に、所有者に暗証番号の入力を要求し、入力された暗証番号が予め設定されている暗証番号と一致しない場合に、現在の設定を解除するようにしたので、後所有者に対する個人情報の保護を図ることが可能となる。
【００３７】
また、所有者の入力した暗証番号が予め設定されている暗証番号と一致した場合には、現在の設定を解除しないようにしているので、例えば、引っ越し等によって電源プラグ３６が家庭用コンセント３７から所定時間以上抜き取られていたような場合、つまり、所有者が変更されない場合に、設定を入力し直す必要がなくなる。
【００３８】
ここで、上記した実施の形態では、記録再生装置１１が転売等により所有者に変更を生じたか否かを判別するために、電源プラグ３６が家庭用コンセント３７から抜き取られている時間が所定時間以上か否かを判別するようにしている。
【００３９】
しかしながら、所有者に変更を生じたか否かの判別は、電源プラグ３６が家庭用コンセント３７から抜き取られている時間を利用する手段に限るものではない。例えば、サーバ４０や放送局４１から定期的に送出されてメモリ部３４に記憶されるＥＰＧ（electronic program guide）情報の更新状態を確認する手段がある。この手段によれば、メモリ部３４に記憶されたＥＰＧ情報が、所定時間以上更新されていない場合に、転売により所有者に変更を生じたと判断することができる。また、放送波を受信するための地域設定が変更されたことを検知して、転売により所有者に変更を生じたと判断することも可能である。
【００４０】
なお、この発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【図面の簡単な説明】
【００４１】
【図１】この発明の実施の形態を示すもので、記録再生装置を説明するために示すブロック構成図。
【図２】同実施の形態における記録再生装置の処理動作の一例を説明するために示すフローチャート。
【図３】同実施の形態における記録再生装置の処理動作の他の例を説明するために示すフローチャート。
【図４】同実施の形態における記録再生装置の処理動作のさらに他の例を説明するために示すフローチャート。
【符号の説明】
【００４２】
１１…記録再生装置、１２…光ディスク、１３…光ディスクドライブ部、１４…ＨＤＤ部、１５…エンコーダ部、１６…ＭＰＥＧデコーダ部、１７…制御部、１８，１９…セレクタ部、２０…通信部、２１…ＢＳ／ＣＳチューナ部、２２…地上波チューナ部、２３…衛星アンテナ、２４…地上波アンテナ、２５…多重化部、２６…データ編集部、２７…バッファ部、２８…分離部、２９…音声映像処理部、３０…モニタ、３１…インターフェース部、３２…操作部、３３…リモートコントローラ、３４…メモリ部、３５…電源部、３６…電源プラグ、３７…家庭用コンセント、３８…モデム、３９…インターネット、４０…サーバ、４１…放送局。
【図１】
2006323464.tif 000003
【図２】
2006323464.tif 000004
【図３】
2006323464.tif 000005
【図４】
2006323464.tif 000006